(57)【要約】      （修正有）【課題】側板が不用意に倒れることを防止できる構造のボックスパレットを提供する。【解決手段】前側板および右側板１５が、対応する垂直状連結縁部同士突き合わせて直交させる。前側板は、下縁部周りに起伏自在である。前側板に水平状連結ロッド５１が支持されている。連結ロッド５１は、軸線周りに回転自在かつ軸方向に移動自在である。右側板１５に、連結ロッド５１を進入・退去させるためのロッド孔５４を形成する。連結ロッド５１にハンドル５３を固定する。ハンドル５３は、連結ロッド５１とともにその軸線周りにロック姿勢およびアンロック姿勢間で揺動自在である。ロック姿勢では、ハンドル５３はその自重によって連結ロッド５１から垂下し、連結ロッド５１の軸方向の移動が規制され、アンロック姿勢では、ハンドル５３がロック姿勢から所定角度だけ上向きに揺動させられて、連結ロッド５１の軸方向の移動が自由となされている。【選択図】図２
0003171036.tif 000002
【実用新案登録請求の範囲】
【請求項１】
第１側板および第２側板が、対応する垂直状連結縁部同士突き合わせて直交させられており、第１側板は、下縁部周りに起伏自在であり、第１側板に水平状連結ロッドが支持されており、連結ロッドは、軸線周りに回転自在かつ軸方向に移動自在であり、第２側板に、連結ロッドを進入・退去させるためのロッド孔が形成されており、連結ロッドにハンドルが固定されており、ハンドルは、連結ロッドとともにその軸線周りにロック姿勢およびアンロック姿勢間で揺動自在であり、ロック姿勢では、ハンドルがその自重によって連結ロッドから垂下させられて、連結ロッドの軸方向の移動が規制され、アンロック姿勢では、ハンドルがロック姿勢から所定角度だけ上向きに揺動させられて、連結ロッドの軸方向の移動が自由であり、連結ロッドをロッド孔に進入させた状態で、ハンドルをロック姿勢に固定解除自在に固定するための止め金を備えているボックスパレット。
【請求項２】
第１側板は、金網製のものであって、複数ずつの横網線材および縦網線材を有しており、ハンドルは、ハンドル本体およびストッパよりなり、ハンドル本体は、連結ロッド外面からその半径方向に遠ざかる方向に互いに間隔をおいてのびている一対の縦材と、両縦材の先端部同士を連絡している横材よりなり、ストッパは、一方の縦材の基端部に連なりかつ連結ロッド外面と交差させられており、ハンドルがロック姿勢からアンロック姿勢に至るまで揺動させられる間は、ストッパは網目に進入させられるが、ハンドルがアンロック姿勢に至ると、ストッパは網目から退去されられ、ストッパが進入した網目の両側の縦網線材に当接するようになされている請求項１に記載のボックスパレット。
【請求項３】
ハンドル本体およびストッパは、１つの線材によって一体成形されている請求項２に記載のボックスパレット。
【請求項４】
横網線材は、ロック姿勢のハンドルの横材と並列にのびた被係合部を有しており、止め金は、被係合部に係合離脱しうるように係合される第１係合部と、横材に係合離脱しうる第２係合部を有している請求項２または３に記載のボックスパレット。
【請求項５】
止め金は、帯状金属板よりなり、第１係合部は、横断面Ｕ字状第１屈曲部よりなり、第２係合部は、第１屈曲部から金属板長さ方向に距離をおいた横断面逆Ｕ字状第２屈曲部よりなる請求項４に記載のボックスパレット。
【考案の詳細な説明】
【技術分野】
【０００１】
この考案は、物流製品を搬送するために用いられる折り畳み式ボックスパレットに関する。
【背景技術】
【０００２】
この種のボックスパレットとしては、第１側板および第２側板が、対応する垂直状連結縁部同士突き合わせて直交させられており、第１側板は、下縁部周りに起伏自在であり、第１側板に水平状連結ロッドが支持されており、連結ロッドは、軸線周りに回転自在かつ軸方向に移動自在であり、第２側板に、連結ロッドを進入・退去させるためのロッド孔が形成されており、連結ロッドにハンドルが固定されており、ハンドルは、連結ロッドとともにその軸線周りにロック姿勢およびアンロック姿勢間で揺動自在であり、ロック姿勢では、ハンドルがその自重によって連結ロッドから垂下させられて、連結ロッドの軸方向の移動が規制され、アンロック姿勢では、ハンドルがロック姿勢から所定角度だけ上向きに揺動させられて、連結ロッドの軸方向の移動が自由となされているものが知られている
この種のボックスパレットでは、連結ロッドをロッド孔に進入させた状態で、ハンドルをロック姿勢にしておくと、連結ロッドの軸方向の移動が規制されるため、連結ロッドがロッド孔から退去されることは無い。この限りにおいて、第１側板および第２側板は、ともに起立姿勢で連結されたままである。ところが、不用意に、ハンドルが持ち上げられてハンドルがアンロック姿勢をとらされと、連結ロッドの軸方向の移動が自由となるため、連結ロッドがロッド孔から退去される心配がある。そうすると、第１側板および第２側板の連結が解除され、第１側板が倒れる心配があり、危険である。
【０００３】
また、例えば、ボックスパレットに入れられた製品が粒状物である場合、ボックスパレットの上下を反転させて、ボックスパレットから製品を取出すようにすれば便利であることもある。このような場合にも、ハンドルがその自重によってロック姿勢からアンロック姿勢に揺動させられることがある。このような場合においても、上記の場合と同様に、危険である。
【考案の概要】
【考案が解決しようとする課題】
【０００４】
この考案の目的は、側板が不用意に倒れる心配が無く、安全なボックスパレットを提供することにある。
【課題を解決するための手段】
【０００５】
この考案によるボックスパレットは、第１側板および第２側板が、対応する垂直状連結縁部同士突き合わせて直交させられており、第１側板は、下縁部周りに起伏自在であり、第１側板に水平状連結ロッドが支持されており、連結ロッドは、軸線周りに回転自在かつ軸方向に移動自在であり、第２側板に、連結ロッドを進入・退去させるためのロッド孔が形成されており、連結ロッドにハンドルが固定されており、ハンドルは、連結ロッドとともにその軸線周りにロック姿勢およびアンロック姿勢間で揺動自在であり、ロック姿勢では、ハンドルがその自重によって連結ロッドから垂下させられて、連結ロッドの軸方向の移動が規制され、アンロック姿勢では、ハンドルがロック姿勢から所定角度だけ上向きに揺動させられて、連結ロッドの軸方向の移動が自由となされており、連結ロッドをロッド孔に進入させた状態で、ハンドルをロック姿勢に固定解除自在に固定するための止め金を備えているものである。
【０００６】
この考案によるボックスパレットでは、連結ロッドをロッド孔に進入させた状態で、止め金によって、ハンドルをロック姿勢に固定しておくと、不用意に、ハンドルが持ち上げられてハンドルがアンロック姿勢をとらされる心配が無い。ハンドルをロック姿勢のままであると、連結ロッドの軸方向の移動が規制されるため、連結ロッドがロッド孔から退去されることは無く、第１側板は、倒れる心配は無く、安全である。
【０００７】
さらに、第１側板は、金網製のものであって、複数ずつの横網線材および縦網線材を有しており、ハンドルは、ハンドル本体およびストッパよりなり、ハンドル本体は、連結ロッド外面からその半径方向に遠ざかる方向に互いに間隔をおいてのびている一対の縦材と、両縦材の先端部同士を連絡している横材よりなり、ストッパは、一方の縦材の基端部に連なりかつ連結ロッド外面と交差させられており、ハンドルがロック姿勢からアンロック姿勢に至るまで揺動させられる間は、ストッパは網目に進入させられるが、ハンドルがアンロック姿勢に至ると、ストッパは網目から退去されられ、ストッパが進入した網目の両側の縦網線材に当接するようになされていると、ハンドル本体の上げ下げによって、ストッパを網目に対し進退させられるから、連結ロッドの移動規制および規制解除を簡単な操作によって行うことができる。
【０００８】
また、ハンドル本体およびストッパは、１つの線材によって一体成形されているから、連結ロッドにハンドルを、例えば、溶接等によって、簡単に固定することができる。
【０００９】
また、横網線材は、ロック姿勢のハンドルの横材と並列にのびた被係合部を有しており、止め金は、被係合部に係合離脱しうるように係合される第１係合部と、横材に係合離脱しうる第２係合部を有していると、止め金を金網およびハンドルに簡単に着脱することができる。
【００１０】
また、止め金は、帯状金属板よりなり、第１係合部は、横断面Ｕ字状第１屈曲部よりなり、第２係合部は、第１屈曲部から金属板長さ方向に距離をおいた横断面逆Ｕ字状第２屈曲部よりなると、止め金を、例えば、プレス成形によって、簡単に製造することができる。
【考案の効果】
【００１１】
この考案によれば、側板が不用意に倒れる心配が無く、安全なボックスパレットが提供される。
【図面の簡単な説明】
【００１２】
【図１】この考案によるボックスパレットの斜視図である。
【図２】第１図の要部拡大斜視図である。
【図３】ロック姿勢のハンドルを示す断面図である。
【図４】アンロック姿勢のハンドルを示す断面図である。
【図５】連結状態の連結ロッドを示す正面図である。
【図６】連結解除状態の連結ロッドを示す正面図である。
【考案を実施するための形態】
【００１３】
以下の説明において、前後とは、図１の矢印Aで示す側を前、これと反対側を後といい、左右とは、前方から見て、左右の側を左右というものとする。
【００１４】
図１を参照すると、ボックスパレットは、方形状基台11と、基台11上面四辺にそれぞれ立てられている前側板12、後側板13、左側板14および右側板15とよりなる。
【００１５】
これらの側板12〜15は、隣り合うもの同士直交させられ、かつ、いずれも、金網主体構造のものであって、基台11上に重なるように折り畳み可能となっている。
【００１６】
前側板12は、中折れ式のものであって、上前側板12Aおよび下前側板12Bよりなる。上前側板12Aの下縁部および下前側板12Bの上縁部は、ヒンジ連結されている。下前側板12Bの下縁部は、基台11の前縁部にヒンジ連結されている。
【００１７】
上前側板12Aの右縁部および右側板15の前縁部は、第１および第２連結機構21、22によって分離可能に連結されている。下前側板12Bの右縁部および右側板15の前縁部は、第３および第４連結機構23、24によって分離可能に連結されている。上前側板12Aの左縁部および左側板14の前縁部は、第５および第６連結機構25、26によって分離可能に連結されている。下前側板12Bの左縁部および左側板14の前縁部は、第７および第８連結機構27、28によって分離可能に連結されている。第１〜第４連結機構21〜24は、同一構造のものである。第５〜第８連結機構25〜28は、第１〜第４連結機構21〜24とは左右の向は逆であるが、これと、同一構造のものである。後側板13は、図示しない連結機構によって、前側板12に準じて、左側板14および右側板15にそれぞれ連結されている。
【００１８】
以下、第１連結機構21について、詳細に説明する。
【００１９】
図２を参照すると、前側板12は、多数の網線材を格子状に配列したものであって、上から下にかけて順次並べられた第１〜第４横網線材31〜34と、右から左にかけて順次並べられた第１〜第５縦網線材41〜45とを備えている。第１縦網線材41および第２縦網線材42のピッチは、他の隣り合う２つの縦網線材42〜45間のピッチの半分となっている。第１〜第４横網線材31〜34の前側に第１〜第５縦網線材41〜45が重ねられて、双方の網線材31〜34、41〜45の対応するもの同士の重ね合わせ部において、溶接接合されている。
【００２０】
第１連結機構21は、前側板12に支持されている水平丸棒状連結ロッド51と、連結ロッド51を各縦網線材41〜45の前側に接触させた状態で、連結ロッド51をその軸線周りに回転自在かつ軸方向に移動自在に案内するためのガイド52と、連結ロッド51に固定されているハンドル53と、右側板15に設けられかつ連結ロッド51を進入・退去させるためのロッド孔54を有しているロッド受55と、連結ロッド51をロッド孔54に進入させた状態で、前側板12に対しハンドル53を固定するための止め金56とよりなる。
【００２１】
ガイド52は、前方から見て、門型をなすように丸棒によって一体成形されたもので、左右に間隔をおいて互いに平行にのびている一対の直線状脚部61と、両脚部61の上端同士を連絡している頭部62とよりなる。両脚部61および頭部62が交差させられる部分には前方膨出半円弧状のガイド部63が設けられている。
【００２２】
ガイド部63によって連結ロッド51の外面前側を取り囲みかつ左側の脚部61が第５縦網線材45に右側から接触させられた状態で、両脚部61が第２および第３横網線材32、33にまたがってこれに溶接接合されている。
【００２３】
ハンドル53は、丸棒によって一体成形されたものであって、ハンドル本体71、退去ストッパ72および進出ストッパ73よりなる。
【００２４】
ハンドル本体71は、Ｕ字状なすものであって、連結ロッド51外面からその半径方向に遠ざかる方向に互いに間隔をおいてのびている一対の縦材71Aと、両縦材71Aの先端部同士を連絡している横材71Bとよりなる。退去ストッパ72は、左側の縦材71Aの基端部に連なりかつ連結ロッド51外面の後側にこれと交差させられる方向に溶接接合されている。進出ストッパ73は、右側の縦材71Aの基端部に連なりかつ連結ロッド51外面の後側にこれと交差させられる方向に溶接接合されている。
【００２５】
ロッド受55は、横転Ｕ字状部材よりなるもので、右側板15から、第１横網線材31および第２横網線材32と、第１縦網線材41および第２縦網線材42とによって囲まれた網目を通って、前側板12の前方に突出させられている。第１縦網線材41およびロッド受55によって囲まれた部分がロッド孔54となされている。
【００２６】
止め金56は、一枚の金属板を折曲成形したものであって、一端部に第１係合部81を、第１係合部81から金属板長さ方向に間隔をおいたところに第２係合部82をそれぞれ有している。第１係合部81および第２係合部82は、ともに、横断面Ｕ字状をなしているが、それぞれのなすＵ字の開口の向きは逆である。第２係合部82の開口縁部には摘み83が連なっている。
【００２７】
第１係合部81は、ハンドル53の横材71Bに対し係合離脱自在である。第１係合部81は、第３横網線材33に対して係合離脱自在である。
【００２８】
ハンドル53は、ロック姿勢およびアンロック姿勢の間で、連結ロッド51とともにその軸線周りに上下揺動自在である。
【００２９】
図３に、ロック姿勢のハンドル53が、図４に、アンロック姿勢のハンドル53が示されている。
【００３０】
ロック姿勢のハンドル53は、ハンドル本体71が連結ロッド51から垂下させられて、その横材71Bを第３縦網線材43に前側から当接させている。退去ストッパ72および進出ストッパ73は、それぞれ対応する網目に進入させられている。この場合、連結ロッド51をその軸方向に移動させようとすると、退去ストッパ72または進出ストッパ73を進入させた網目の両側の第３および４縦網線材43、44のいずれかに退去ストッパ72または進出ストッパ73が当接させられ、連結ロッド51の移動が規制される。
【００３１】
ロック姿勢のハンドル53を上向きに揺動させて、アンロック姿勢にすると、網目に進入させられたいた退去ストッパ72および進出ストッパ73は、その網目から退去される。そうすると、退去ストッパ72および進出ストッパ73は、いずれの縦網線材43、44とも当接させられることは無く、連結ロッド51のその軸方向の移動は、自由となる。
【００３２】
図５において、連結ロッド51は、ロッド孔54に進入させられている。ハンドル53は、ロック姿勢である。これは、第１連結機構21が前側板12および右側板15を連結した状態である。この状態で、退去ストッパ72は、第３および第４縦網線材43、44間の網目に進入させられて、第４縦網線材44に右側から当接させられている。この状態から、連結ロッド51は、左向き、すなわち、ロッド孔54から退去する方向には移動できない。進出ストッパ73は、第２および第３縦網線材42、43間の網目に進入させられているが、フリーである。ハンドル53の右側の縦材71Aの上部がガイド52の右側の脚部61に右側から当接させられており、これにより、連結ロッド51はこれ以上右方向に移動できない。
【００３３】
ロック姿勢の状態から、ハンドル53を持ち上げてアンロック姿勢にすると、退去ストッパ72および進出ストッパ73は、それぞれ進入させられていた網目から退去される。そうすると、連結ロッド51の移動は自由となるため、図６に示すように、連結ロッド51を左向きに移動させて、今度は、退去ストッパ72を、第４および第５縦網線材44、45間の網目に、進出ストッパ73を、第３および第４縦網線材43、44間の網目に進入させる。ハンドル53の左側の縦材71Aの上部がガイド52の左側の脚部61に左側から当接まで連結ロッド51を移動させると、連結ロッド51は、ロッド孔54から退去させられる。これにより、第１連結機構21による前側板12および右側板15の連結が解除される。進出ストッパ73が第３縦網線材43に左側から当接させられると、連結ロッド51はそれ以上右向きに移動することはできない。これにより、連結が解除された状態で、連結ロッド51が前側板12から右方に進出することが防止される。
【００３４】
連結ロッド51をロッド孔54に進入させて、ハンドル53をロック姿勢にした状態で、止め金56の第１係合部81をハンドル53の横材71Bに係合し、第２係合部82を第３横網線材33に係合する。このようにしておくと、ハンドル53が不用意に持ち上げられることが無い。そのため、連結ロッド51が左向きに移動して、連結ロッド51がロッド孔54から退去させられる心配が無い。
【産業上の利用可能性】
【００３５】
この考案による折り畳み式ボックスパレットは、物流製品を搬送するために用いることを達成するのに適している。
【符号の説明】
【００３６】
12  前側板
15  右側板
51  連結ロッド
53  ハンドル
54  ロッド孔
56  止め金
【図１】
0003171036.tif 000003
【図２】
0003171036.tif 000004
【図３】
0003171036.tif 000005
【図４】
0003171036.tif 000006
【図５】
0003171036.tif 000007
【図６】
0003171036.tif 000008